(57)【要約】【課題】文字とグラフィックを組み合わせた表示データの編集作業を容易に行うことができる電光表示システム、表示装置および表示データ編集装置を提供する。【解決手段】本発明の電光表示システムは、表示データにおいて、グラフィックデータ内の素材データ１９は、文字入力で使用するフォント名３１と、フォントサイズ３２と、背景色を含めた文字色３３と、点滅・反転・影等の修飾情報３４から構成されている。表示データのグラフィックデータ内には、文字やグラフィックの素材データごとに、復元するために必要な情報が全て保存されていることにより、復元を可能にし、編集を容易に行う。【選択図】図２
2007310290.tif 000002
【特許請求の範囲】
【請求項１】
複数配列した発光素子を点滅することで文字・図形・記号等を表示する表示装置と、前記表示装置に表示する内容を作成する表示データ編集装置とを備えた電光表示システムであって、
前記表示データ編集装置は、複数の素材データから成るグラフィックデータを前記素材データ毎に編集する表示データ作成ソフトを有し、
前記表示装置は、前記表示データ作成ソフトにより作成されたグラフィックデータに基づき表示を行うことを特徴とする電光表示システム。
【請求項２】
請求項１記載の電光表示システムであって、
前記素材データは、フォント名・サイズ・色・修飾・表示位置等の情報を保存することを特徴とする電光表示システム。
【請求項３】
請求項１記載の電光表示システムであって、
前記グラフィックデータは、前記素材データの情報を元に復元し、編集を可能とすることを特徴とする電光表示システム。
【請求項４】
請求項１記載の電光表示システムであって、
前記発光素子は、発光ダイオードであることを特徴とする電光表示システム。
【請求項５】
請求項１記載の電光表示システムであって、
前記表示データ編集装置によって作成された前記グラフィックデータを、着脱自在な記憶媒体を介して前記表示装置に転送することを特徴とする電光表示システム。
【請求項６】
複数配列した発光素子を点滅することで文字・図形・記号等を表示する表示装置であって、
表示データ編集装置により作成された複数の素材データから成るグラフィックデータを、着脱自在な記憶媒体を介して受け取り表示することを特徴とする表示装置。
【請求項７】
複数配列した発光素子を備える表示装置に表示する内容を作成する表示データ編集装置であって、
文字フォントデータを格納する文字フォントＲＯＭと、
前記文字フォントＲＯＭに格納された文字フォントデータに対応するアドレスを格納するテキストＲＡＭと、
複数の素材データおよび素材データ番号を格納する素材レジスタと、
複数の素材データから成るグラフィックデータを格納するグラフィックＲＡＭと、
前記文字フォントＲＯＭから出力される文字フォントデータと、前記グラフィックＲＡＭから出力されるグラフィックデータを合成して表示データを作成するテキスト・グラフィック合成部とを備えることを特徴とする表示データ編集装置。
【発明の詳細な説明】
【技術分野】
【０００１】
本発明は、電光表示システムに関し、特に、ＬＥＤ（light-emitting diode：発光ダイオード）等の発光体をマトリックス状に配置して文字や図形を表示する表示装置、および表示装置に表示する表示データを作成する作画ソフトを備えた表示データ編集装置に関するものである。
【背景技術】
【０００２】
従来から、複数配列したＬＥＤを点滅することで文字等を表示する表示装置と、該表示装置に表示する内容を作成する表示データ編集装置とを備える電光表示システムがある。それらの表示装置の多くは、店先や往来、建物の壁面等に設置され、営業案内や集客のためのキャッチフレーズを発光表示するのに利用されている。
【０００３】
ユーザーは、営業・広告内容に応じて表示する文字のフォントの種類を変更したい場合があるが、従来の表示システムは、表示装置側に用意される表示用フォントは１種類であり、変更することができなかった。このため、別のフォントで表示したい場合は、１文字単位のドットデータを作成することを要するものだった。
【０００４】
そこで、例えば、特許文献１の電光表示システムが提案されている。この電光表示システムによれば、表示装置に標準搭載されたフォントとは別に、ユーザーが望むフォントによる表示が可能となるものである。
【０００５】
図５は、従来の電光表示システムで使用される表示データ編集装置（パソコン）１１５の構成の概略図である。従来の表示データ編集装置１１５は、表示データ編集プログラム１１６と、フォントキャッシュ１１７と、フォントデータ変換プログラム１１８と、データ記憶領域１１９と、ＥＩＡ（Electronic Industries Alliance：米国電子工業会）２３２インターフェース１２０と、データ入出力装置１２３とを備えている。
【０００６】
表示データ編集プログラム１１６は、表示装置に表示する表示データや、そのスケジュールデータを作成するためのアプリケーションプログラムである。このプログラムを起動し、図示しないキーボードやマウスを操作することにより、表示データの新規作成、作成済み表示データの編集、新しい表示スケジュールの付与、表示スケジュール内容の変更などを行うことができる。
【０００７】
フォントキャッシュ１１７は、パソコンのＯＳ（operating system：オペレーティングシステム）にインストールされているベクタ情報のフォント（スケーラブルフォント）を、ドットイメージに変換して格納する。表示データ編集プログラム１１６によって表示データを作成する際に、キーボードから文字が入力されると、入力された文字に対応する（ドットで表された）フォントイメージがフォントキャッシュ１１７から出力される。
【０００８】
フォントデータ変換プログラム１１８は、パソコンのＯＳに付随する形で記憶しているベクタ情報のフォントを、表示装置が発光表示を行う際に参照可能なドットイメージのフォントデータに変換する。すなわち、パソコンにインストールされているフォントを表示装置で使用可能な表示用フォントデータに変換する機能を備えたプログラムである。フォントデータ変換プログラム１１８によって変換された表示用フォントデータは、データ記憶領域１１９の所定記憶領域に一旦記憶保持し、必要に応じて表示装置に転送される。
【０００９】
なお、表示用フォントは、表示データ編集装置１１５においてベクタ情報のフォントをドット情報のデータに変換したものであり、表示装置のメモリに設けられる表示用フォント記憶部に複数記憶させることができる。そのデータ構成は「表示用フォント名」「ドットデータ」から成る。「表示用フォント名」とは明朝、ゴシック体、丸ゴシック体といった書体の名称であり、「ドットデータ」とは、文字の形を表す１文字ごとのドット画像を文字コードと対応付けて格納したものである。
【特許文献１】特開２００５−３５１９８９号公報
【発明の開示】
【発明が解決しようとする課題】
【００１０】
しかしながら、特許文献１記載の電光表示システムは、表示装置と表示データ編集装置１１５で取り扱う表示データにおいて、テキストデータ（文字、単語、文章、等）とグラフィックデータ（画像等）とが別々のデータ構成である。すなわち、図６に示すように、表示データ１内のテキストデータ２とグラフィックデータ３が別々になっている。
【００１１】
よって、ユーザーは、所望のフォントによるテキストデータ２とグラフィックデータ３とを組み合わせて、視覚的効果を向上させた表示データ１を作成することができず、この場合は、従来と同様に１ドットずつ文字等も含めてグラフィックデータ（ドットデータ）３として作成しなければならなかった。
【００１２】
そのため、背景内の文字を変更したいとき、例えば、文字と背景の色替えや、文字飾りの変更などしたい場合は、グラフィックデータ３を１ドットずつ編集しなければならず、編集作業に多大な時間を要するものであった。すなわち、グラフィックデータ３のドット画像データ４を文字とグラフィックを組み合わせたデータに作成してしまうと、文字修正等の編集作業が困難であるという問題を有していた。
【００１３】
本発明は、上記従来の事情に鑑みてなされたものであって、文字とグラフィックを組み合わせた表示データの編集作業を容易に行うことができる電光表示システム、表示装置および表示データ編集装置を提供することを目的としている。
【課題を解決するための手段】
【００１４】
本発明は、複数配列した発光素子を点滅することで文字・図形・記号等を表示する表示装置と、前記表示装置に表示する内容を作成する表示データ編集装置とを備えた電光表示システムであって、前記表示データ編集装置は、複数の素材データから成るグラフィックデータを前記素材データ毎に編集する表示データ作成ソフトを有し、前記表示装置は、前記表示データ作成ソフトにより作成されたグラフィックデータに基づき表示を行うことを特徴とする電光表示システムである。
【００１５】
かかる構成によれば、文字とグラフィックを組み合わせたイメージから表示データを作成しなくても、素材データごとに作成することができる。また、複数の素材データから一つのグラフィックデータを作成することにより、文字と背景を別々に作成することができ、効果的な配置に設定することができる。
【００１６】
また、本発明の電光表示システムにおいて、前記素材データは、フォント名・サイズ・色・修飾・表示位置等の情報を保存することを特徴とする。
【００１７】
かかる構成によれば、復元するために必要な情報が全て保存することができる。また、素材データの情報を全て保存することにより、表示データを表示装置へ読み込ませた後でも、その表示データを表示装置から記憶媒体へ書き込ませることにより、作成元の表示データ編集装置以外でも同じ表示データ内の素材データの情報を共有することができる。
【００１８】
また、本発明の電光表示システムにおいて、前記グラフィックデータは、前記素材データの情報を元に復元し、編集を可能とすることを特徴とする。
【００１９】
かかる構成によれば、グラフィックデータに保存されている複数の素材データの情報を読み出すことができる。また、素材データの情報を基にグラフィックデータを復元することで、容易に文字の変更・フォントの変更・色の変更等を行うことができる。
【００２０】
また、本発明の電光表示システムにおいて、前記発光素子は、発光ダイオードであることを特徴とする。
【００２１】
かかる構成によれば、表示装置はマトリックス状に配置された複数の発光ダイオードを備えるので、環境の変化に対する耐久性の高い電光表示システムを提供することができる。
【００２２】
また、本発明の電光表示システムは、前記表示データ編集装置によって作成された前記グラフィックデータを、着脱自在な記憶媒体を介して前記表示装置に転送することを特徴とする。
【００２３】
かかる構成によれば、表示データを表示装置へ読み込ませた後でも、その表示データを表示装置から記憶媒体へ書き込ませることにより、作成元の表示データ編集装置以外でも同じ表示データ内の素材データの情報を共有することができる。
【００２４】
また、本発明は、複数配列した発光素子を点滅することで文字・図形・記号等を表示する表示装置であって、表示データ編集装置により作成された複数の素材データから成るグラフィックデータを、着脱自在な記憶媒体を介して受け取り表示することを特徴とする表示装置である。
【００２５】
かかる構成によれば、着脱自在な記憶媒体を介して表示データを受け取ることにより、複数の素材データから成るグラフィックデータを表示することがきる。
【００２６】
また、本発明は、複数配列した発光素子を備える表示装置に表示する内容を作成する表示データ編集装置であって、文字フォントデータを格納する文字フォントＲＯＭと、前記文字フォントＲＯＭに格納された文字フォントデータに対応するアドレスを格納するテキストＲＡＭと、複数の素材データおよび素材データ番号を格納する素材レジスタと、複数の素材データから成るグラフィックデータを格納するグラフィックＲＡＭと、前記文字フォントＲＯＭから出力される文字フォントデータと、前記グラフィックＲＡＭから出力されるグラフィックデータを合成して表示データを作成するテキスト・グラフィック合成部とを備えることを特徴とする表示データ編集装置である。
【００２７】
かかる構成によれば、ユーザーが望むフォントによる表示を可能にするとともに、複数の素材データに復元するために必要な情報を保存することで、自由な組み合わせ表示が可能となり、さらに素材データを基に表示データを復元させることによって、グラフィックデータを容易に編集することができる。
【発明の効果】
【００２８】
以上説明したように、本発明の電光表示システム、表示装置および表示データ編集装置によれば、複数の素材データから一つのグラフィックデータを作成することにより、文字と背景を別々に作成することができ、また効果的な配置に設定することができる。
【００２９】
また、素材データの情報を保存することにより、表示データを表示装置へ読み込ませた後でも、その表示データを表示装置からＰＣカードへ書き込ませることで、作成元のパソコン以外でも同じ表示データ内の素材データの情報を共有することができる。さらに、素材データの情報を基に復元することで、容易に文字の変更・フォントの変更・色の変更等を行うことができる。
【発明を実施するための最良の形態】
【００３０】
以下、本発明の実施形態について、図面を参照しながら説明する。
【００３１】
（実施の形態１）
図１は、本発明の実施の形態１における電光表示システムの概略構成を示すブロック図である。図１において、電光表示システムは、表示データ１４を作成するパソコン（表示データ編集装置）１３と、表示データ１４を書き込むＰＣカード１２と、ＰＣカード１２を読み、表示データ１４を表示する表示装置１１から構成される。
【００３２】
表示データ１４は、文章等を入力するテキストデータ１５と、画像等のグラフィックデータ１６と、複数の画像を切り替えるアニメデータ２０から構成される。グラフィックデータ１６は、表示装置１１へ表示させる本体用グラフィックデータ１７と、グラフィックデータ１６を構成する素材データ１９と、素材データ１９を管理する素材データ番号１８から構成される。
【００３３】
かかる構成によれば、複数の素材データ１９から一つのグラフィックデータ１６を作成することにより、文字と背景を別々に作成することができ、また効果的な配置に設定することができるという作用を有する。
【００３４】
（実施の形態２）
図２は、本発明の実施の形態２における電光表示システムの素材データ１９の概略構成を示すブロック図である。図２において、素材データ１９は、文字入力で使用するフォント名３１と、フォントサイズ３２と、背景色を含めた文字色３３と、点滅・反転・影等の修飾情報３４から構成される。
【００３５】
かかる構成によれば、素材データ１９の情報を保存することにより、表示データ１４を表示装置１１へ読み込ませた後でも、その表示データ１４を表示装置１１からＰＣカード１２へ書き込ませることで、作成元のパソコン１３以外でも同じ表示データ１４内の素材データ１９の情報を共有することができるという作用を有する。また、図１、図２の構成によれば、素材データ１９の情報を基に復元することで、容易に文字の変更・フォントの変更・色の変更等ができるという作用を有する。
【００３６】
（実施の形態３）
図３は、本発明の実施の形態３における表示装置１１の内部構成を示すブロック図である。表示装置１１に搭載されるＣＰＵ（central processing unit：中央処理装置）６９は、ＲＯＭ（read-only memory：読み出し専用メモリ）等で構成される制御プログラム記憶部７０に記憶された制御プログラムに従って表示装置全体を制御する。出力データ記憶部７１は、表示コンテンツおよび音声コンテンツのデータの出力タイミングを規定する表示スケジュールデータおよび音声スケジュールデータと、表示装置１１に関する各種データとを記憶する。
【００３７】
キャラクタメモリ７２は、コードに置き換えられた文字・絵記号（キャラクタ）をドットパターンで記憶する。表示コンテンツ記憶部７３は、ＬＥＤ表示部４１に表示する複数の表示コンテンツを記憶する。音声コンテンツ記憶部７４は、スピーカー５３から出力する複数の音声コンテンツを記憶する。
【００３８】
キャラクタ属性設定部７５は、表示コンテンツに付与されているキャラクタ属性に応じ、キャラクタメモリ７２から読み出した文字・絵記号を表すドットパターンを標準の字体もしくは太字の字体でＶＲＡＭ（video random-access memory）６３に設定する。ＶＲＡＭ６３は、表示スケジュールにしたがって読み出した表示コンテンツをドット情報として一時的に格納する。
【００３９】
輝度制御部５５は、ＬＥＤの点灯／消灯を与えるオン／オフ信号のデューティー比を変えることにより発光輝度を変えることができる。すなわち、ＬＥＤオン／オフ信号の周期に対するオン時間の割合を変えて輝度を調節するもので、発光輝度２５％のときはオン／オフ信号１周期に占めるオン時間の割合を２５％として残りの７５％はオフ時間とし、発光輝度１００％のときは１周期全部をオンにする。表示駆動部６２は、ＶＲＡＭ６３に格納された表示コンテンツを輝度制御部５５で設定されたデューティー比に従ってＬＥＤ駆動信号としてＬＥＤ表示部４１に出力する。
【００４０】
ＬＥＤ表示部４１は、プリント基板上にＬＥＤをドットマトリクス状に配列して構成されている。ＬＥＤ表示部４１には複数の文字を表示することが可能であり、例えば、１６×１６ドットのマトリクスで表される全角サイズの文字が横方向に３文字、縦方向に２文字、合計６文字表示可能なように４８×３２ドットでマトリクスを構成している。ＬＥＤ表示部４１に配列された各ＬＥＤは表示駆動部６２によって発光駆動され、マトリクス上に文字・絵記号・画像等からなる表示コンテンツを発光表示する。
【００４１】
輝度センサー５２はＣｄＳ等で構成され、輝度センサーインターフェース（ＩＦ）６４を介してＣＰＵ６９に接続され、周囲の明るさに関する情報を与える。ＣＰＵ６９は、輝度センサー５２から受けた出力値と予め設定されたしきい値とを比較し、しきい値より出力値が高ければ周囲が日中であると判断し、輝度制御部５５に出力データ記憶部７１から読み出した日中の発光輝度を指示する。出力値がしきい値より低ければ周囲が夜間であると判断し、輝度制御部５５に夜間の発光輝度を指示する。
【００４２】
また、ＣＰＵ６９は、輝度センサー５２から受けた出力値と予め設定されたしきい値とを比較し、しきい値より出力値が高ければ周囲が日中であると判断し、音声制御部５６に出力データ記憶部７１から読み出した日中の音量を指示する。出力値がしきい値より低ければ周囲が夜間であると判断し、音声制御部５６に夜間の音量を指示する。
【００４３】
音声制御部５６は、音声コンテンツ記憶部７４に記憶された音声情報を、輝度センサー５２が検出した周囲の明るさに基づいた音量となるようにスピーカー５３を駆動する。タイマー制御部５７は、ＣＰＵ６９から任意のタイミングで要求を受け、現在時刻・年・日付・曜日を出力する。
【００４４】
リモコン６５は赤外線によるデータ入力手段であり、ＬＥＤ表示部４１の表示画面上に設けられたリモコン受信部４２を介して表示コンテンツおよび音声コンテンツの作成や変更、あるいは出力スケジュールの設定や各種データ設定の操作をすることができる。
【００４５】
ＰＣカード１２は、ＰＣカードインターフェース（ＩＦ）６８を介して着脱され、外部のパソコン（表示データ編集装置）等で作成した表示コンテンツおよび音声コンテンツ、出力スケジュール、各種データを表示コンテンツ記憶部７３および音声コンテンツ記憶部７４等に転送するための記憶媒体として用いられる。
【００４６】
図４は、本実施の形態にかかる表示データ編集装置１３の概略構成を示す。ＣＰＵ８０は、この表示データ編集装置１３が利用されるコンピュータシステム全体の制御を司るものであり、テキストコントローラ８１およびグラフィックコントローラ８２に対してそれぞれテキスト表示およびグラフィック表示を行うための動作指示を行う。
【００４７】
テキストコントローラ８１はＣＰＵ８０の制御の下に文書や文字集合から構成されるテキストデータの表示制御を行うものであり、表示対象のテキストデータをコード情報としてテキストＲＡＭ８３に格納する。グラフィックコントローラ８２は、ＣＰＵ８０の制御の下に図形等のイメージ情報から構成されるグラフィックデータの表示制御を行うものであり、表示対象のグラフィックデータをグラフィックＲＡＭ８９に描画する。
【００４８】
文字フォントＲＯＭ８５は、文字のフォントデータを格納し、テキストＲＡＭ８３は、文字フォントＲＯＭ８５に格納されたフォントデータに対応するアドレスを記憶し、グラフィックＲＡＭ８９はグラフィックイメージデータを記憶する。また、素材データレジスタ８７は、グラフィックデータを構成する素材データ、および素材データを管理する素材データ番号を格納する。
【００４９】
テキスト・グラフィック合成部９１は、文字フォントＲＯＭ８５から出力されるフォントデータとグラフィックＲＡＭ８９から出力されるグラフィックイメージデータを受け、ＣＰＵ８０の選択情報に応答して表示データを出力する。ＬＥＤ駆動部９３は、テキスト・グラフィック合成部９１の出力に応答してＬＥＤ表示部４１のＬＥＤを駆動する。
【００５０】
本実施形態の表示データ編集装置１３によれば、素材データの情報を保存することにより、表示データを表示装置１１へ読み込ませた後でも、その表示データを表示装置１１からＰＣカードへ書き込ませることで、作成元の表示データ編集装置１３以外でも同じ表示データ内の素材データの情報を共有することができる。また、素材データの情報を基にグラフィックデータを復元することで、容易に文字の変更・フォントの変更・色の変更等を行うことができる。
【産業上の利用可能性】
【００５１】
本発明の電光表示システム、表示装置および表示データ編集装置は、ユーザーが望むフォントによる表示を可能にするとともに、複数の素材データに復元するために必要な情報を保存することで、自由な組み合わせ表示が可能となり、さらに素材データを基に復元させることによって、グラフィックデータを容易に編集することができる。
【図面の簡単な説明】
【００５２】
【図１】本発明の実施の形態１にかかる電光表示システムの概略構成を示すブロック図
【図２】本発明の実施の形態２にかかる電光表示システムの素材データの概略構成を示すブロック図
【図３】本発明の実施の形態３にかかる表示装置の概略構成を示すブロック図
【図４】本発明の実施の形態３にかかる表示データ編集装置の概略構成を示すブロック図
【図５】従来の表示データ編集装置（パソコン）の構成の概略図
【図６】従来の電光表示データシステムの表示データの概略構成を示すブロック図
【符号の説明】
【００５３】
１１  表示装置
１２  ＰＣカード
１３，１１５  表示データ編集装置（パソコン）
１４  表示データ
１５  テキストデータ
１６  グラフィックデータ
１７  本体用グラフィックデータ
１８  素材データ番号
１９  素材データ
２０  アニメデータ
３１  フォント名
３２  フォントサイズ
３３  文字色
３４  修飾情報
４１  ＬＥＤ表示部
４２  リモコン受信部
５２  輝度センサー
５３  スピーカー
５５  輝度制御部
５６  音声制御部
５７  タイマー制御部
６２  表示駆動部
６３  ＶＲＡＭ
６４  輝度センサーインターフェース
６５  リモコン
６８  ＰＣカードインターフェース
６９，８０  ＣＰＵ
７０  制御プログラム記憶部
７１  出力データ記憶部
７２  キャラクタメモリ
７３  表示コンテンツ記憶部
７４  音声コンテンツ記憶部
７５  キャラクタ属性設定部
８１  テキストコントローラ
８２  グラフィックコントローラ
８３  テキストＲＡＭ
８５  文字フォントＲＯＭ
８７  素材データレジスタ
８９  グラフィックＲＡＭ
９１  テキスト・グラフィック合成部
９３  ＬＥＤ駆動部
【図１】
2007310290.tif 000003
【図２】
2007310290.tif 000004
【図３】
2007310290.tif 000005
【図４】
2007310290.tif 000006
【図５】
2007310290.tif 000007
【図６】
2007310290.tif 000008